(57)【特許請求の範囲】
【請求項１】
操作釦の操作により訪問先の住戸の部屋番号が表示される７セグメント表示器を備え、且つ、集合玄関のオートドアロックに対して所定の条件のもとで解錠信号を送出する集合玄関機において、
前記操作釦の操作により訪問先の住戸の部屋番号を前記７セグメント表示器に表示するとともに、該訪問先の住戸に配置された住戸機との通話路を形成し、該訪問先の住戸に配置された住戸機との通話中に該住戸機における解錠操作により該住戸機から解錠信号が送られて、前記オートドアロックに対して解錠信号が送出されたとき又は前記オートドアロックから解錠応答信号が返送されてきたときに、前記７セグメント表示器に表示されている前記部屋番号の表示を前記オートドアロックの解錠状態を示す文字表示に切換表示することを特徴とする集合玄関機。
【請求項２】
前記７セグメント表示器は、前記オートドアロックの解錠状態を示す文字表示が「ＯＰＥｎ」であることを特徴とする請求項１記載の集合玄関機。
【発明の詳細な説明】
【０００１】
【発明の属する技術分野】
本発明は、集合住宅の集合玄関に配置される集合玄関機（ロビーインターホン）、特に、集合玄関に装備されるオートドアロックの解錠表示に関するものである。
【０００２】
【従来の技術】
集合住宅の集合玄関には防犯上の観点からオートドアロックが装備される傾向にある。このオートドアロックは、定常的にはロック状態にあり、各住戸に設けられた住戸インターホン若しくは管理人室等に設けられた管理人インターホンにおける解錠操作により、又は集合玄関機において所定の暗証番号を入力することにより解錠される、という構成が採用されている。このオートドアロックが解錠されると、集合玄関機の表示灯が点灯し、訪問者はオートドアロックが解錠されたことを認識する。
【０００３】
【発明が解決しようとする課題】
集合住宅玄関機は、上記のようにオートドアロックが解錠されると、その表示灯が点灯するものの、表示灯は発光ダイドードが用いられていることが多いので見ずらく、また、解錠状態を表示するための専用の表示灯を設けなければならない、という課題があった。
【０００４】
本発明は、このような課題を解決するためになされたものであり、解錠状態の表示を見やすくするとともに、専用の表示灯を省略することを可能にした集合玄関機を提供することを目的とする。
【０００５】
【課題を解決するための手段】
本発明に係る集合玄関機は、操作釦の操作により訪問先の住戸の部屋番号が表示される７セグメント表示器を備え、且つ、集合玄関のオートドアロックに対して所定の条件のもとで解錠信号を送出する集合玄関機において、前記操作釦の操作により訪問先の住戸の部屋番号を前記７セグメント表示器に表示するとともに、該訪問先の住戸に配置された住戸機との通話路を形成し、該訪問先の住戸に配置された住戸機との通話中に該住戸機における解錠操作により該住戸機から解錠信号が送られて、前記オートドアロックに対して解錠信号が送出されたとき又は前記オートドアロックから解錠応答信号が返送されてきたときに、前記７セグメント表示器に表示されている前記部屋番号の表示を前記オートドアロックの解錠状態を示す文字表示に切換表示する。前記７セグメント表示器は、前記オートドアロックの解錠状態を示す文字表示が「ＯＰＥｎ」である。
【０００６】
【発明の実施の形態】
実施形態１．
図１は本発明の一実施形態に係る集合玄関機（ロビーインターホン）の内部構成を示すブロック図である。図１において、１０はマイクロコンピュータであり、１１は制御信号線Ｌ１１を介して制御信号を送受する送受信回路である。１２は第１通話線Ｌ２１を介して音声信号を送受信するための送受信回路、１３は第２通話線Ｌ３１を介して音声信号を送受信するための送受信回路、１４は第１通話線の送受信回路１２と第２通話線の送受信回路１３とを切り替えるための切替回路である。１５は増幅器、１６はスピーカであり、これらは切替回路１４を介して送受信回路１２又は１３と接続され、受信した音声信号に基づいて音声を出力する。１７はマイク、１８は増幅器であり、マイク１７からの音声信号は増幅器１８で増幅されて切替回路１４を介して送受信回路１２又は１３に送り出される。１９は音声合成回路であり、マイクロコンピュータ１０の制御信号に基づいて音声信号を生成して増幅器１５を介してスピーカ１６に出力する。
【０００７】
また、２１はテレビカメラ、２２はテレビカメラ２１からの映像信号を切り替えるための切替回路、２３は切替回路２２で切り替えられた映像信号を第１映像線Ｌ４１に送り出すための送信回路、２４は切替回路２２で切り替えられた映像信号を第２映像線Ｌ５１に送り出すための送信回路である。２６はテンキー、２７は呼出釦、２８は操作表示灯である。３０はドライバ、３１は７セグメント表示器である。３２は後述するオートドアロックＡＬを集合玄関機側にて解錠する際の暗証番号の設定のためのディップスイッチであり、これは電源投入時又はリセット時に読み取られてマイクロコンピュータ１０に内蔵したメモリに記憶される。３３は解錠出力回路、３４解錠応答回路、３５はキー回路であり、これらはオートドアロックＡＬに接続されている。
【０００８】
集合玄関機（ロビーインターホン）ＥＰは以上のように構成されており、これには更にオートドアロックＡＬが接続されている。このオートドアロックＡＬにおいて、４１は電気錠制御回路、４２は錠である。
【０００９】
図２は図１の集合玄関機の外観図である。図において、テレビカメラ２１は左上に配置され、操作表示灯２８、７セグメント表示器３１が順次その下方に配置され、更に符号４５に示される領域にスピーカ１６及びマイク１７が配置される。また、右側中央部には、テンキー２６及び呼出釦２７が配置され、その下にはキー回路３５のキー差込口３５ａが配置されている。
【００１０】
図３は図１の集合玄関機ロビーインターホンを含む集合住宅全体のシステム構成図である。図３において、ＴＣは通話制御装置、ＶＣは映像制御装置、ＥＰ１，ＥＰｋは、マンションなどの集合住宅の集合玄関に設けられた図１の集合玄関機、ＡＬ１，ＡＬｋはロビーインターホンＥＰ１，ＥＰｋに接続された図１のオートドアロック、ＳＭ１，ＳＭ２は、集合住宅の管理室及び管理人住戸に設けられた管理人インターホン（管理人室機）である。ＳＭＰは通話制御装置ＴＣと管理人インターホンＳＭ１とを１つのケースに収容した管理人親機である。Ｊ１〜Ｊｎは集合住宅の各住戸に設けられたインターホン機能を備えた住戸機に更に防犯機能を備えた住戸情報盤（以下住情盤という）である。また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【００１１】
また、図３でＤＰ１〜ＤＰｎは各住戸の玄関の外に設けられ、その住戸の住情盤Ｊ１〜Ｊｎに接続されたドアホン、ＳＥ１は監視線ＬＳ２１〜ＬＳ２ｎによって住情盤Ｊ１〜Ｊｎに接続された各住戸の玄関の防犯センサ、ＳＥ２〜ＳＥｎは監視線ＬＳ２１〜ＬＳ２ｎによって住情盤Ｊ１〜Ｊｎに接続された各住戸の玄関以外の部分（例えばベランダに面した窓など）に設けられた防犯センサである。尚、図３の例では、防犯センサＳＥ１〜ＳＥｎは監視線ＬＳ２１〜ＬＳ２ｎに接続しているが、各住戸の玄関部分に設けられた防犯センサＳＥ１は、監視線ＬＳ２１〜ＬＳ２ｎとは別系統の監視線ＬＳ１１〜ＬＳ１ｎに接続して、玄関以外の部分に設けられた防犯センサＳＥ２〜ＳＥｎとは別の監視動作をさせるようにしてもよい。
【００１２】
また、図３の住情盤Ｊ１〜Ｊｎには、インターホンのハンドセット（送受話器）、インタホンの呼出音、管理室からの放送、警報音などを流すスピーカ、集合玄関機ＥＰ１〜ＥＰｋのテレビカメラ２１から送られてくる訪問者の映像を映すＬＣＤ等のモニタテレビ、各種表示灯、各種スイッチ（例えば玄関のオートドアロックを解錠するための解錠スイッチ）を備えている。
【００１３】
ここで、図３のシステムの概要を、集合玄関機ＥＰ１〜ＥＰｋと住情盤Ｊ１〜Ｊｎのインターホンとの間の例で説明する。
訪問者が例えば集合玄関機ＥＰ１のテンキー２６を操作して訪問すべき部屋番号例えば１０２を入力し、次に呼出スイッチ２７を押すと、集合玄関機ＥＰ１の送受信回路１１から制御線Ｌ１１を介して通話制御装置ＴＣに部屋コードと呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御線Ｌ１２を介して１０２号室の住情盤Ｊ２に送出すると共に、第１映像線Ｌ４１の映像線指定命令を制御線Ｌ１１を介して集合玄関機ＥＰ１に送出する。また、映像制御装置ＶＣに映像線Ｌ４１とＬ４２を接続する命令を送出する。集合玄関機ＥＰ１では、送受信回路１１を介して上記の映像線指定命令を受信し、これにより、テレビカメラ２１を起動すると共に切替回路２２を制御して、テレビカメラ２１の出力を送信回路２３を介して第１映像線Ｌ４１に接続し、第１映像線Ｌ４１に訪問者の映像信号を送出する。
【００１４】
また、１０２号室の住情盤Ｊ２は、制御線Ｌ１２を通じ受信した呼出信号と第１通話線Ｌ２２および第１映像線Ｌ４２の通話・映像線指定命令により、図示しない通話用と映像用の各接続スイッチを制御して第１通話線Ｌ２２及び第１映像線Ｌ４２をそれぞれ接続する。また、スピーカから呼出音を発し、ロビー灯を点灯し、モニタテレビを起動して第１映像線Ｌ４２により送られてくる映像信号による映像を放映する。
【００１５】
住情盤Ｊ２でハンドセットが取り上げられると、ハンドセットにより押下されていた住情盤Ｊ２の図示しないフックが開放され、住情盤Ｊ２から通話制御装置ＴＣに制御線Ｌ１２を介してフックオフ信号が送出される。通話制御装置ＴＣは住情盤Ｊ２からフックオフ信号を受信すると、集合玄関機ＥＰ１に対し第１通話線Ｌ２１の通話線指定命令を送出し、この命令を送受信回路１１を介して受け取ると、集合玄関機ＥＰ１は切替回路１４を制御して送受信回路１２を介して第１通話線Ｌ２１と接続する。これにより集合玄関機ＥＰ１と住情盤Ｊ２との間の通話路が形成され、訪問者と１０２号室の居住者との間で通話が行われる。
【００１６】
そして、集合玄関に配置されている入出館用の自動ドアは、住情盤Ｊ２の解錠スイッチを操作すると、制御線Ｌ１２、Ｌ１１を介して集合玄関機ＥＰ１に解錠信号が送られ、オートドアロックＡＬ１が解錠されて開放される（この点についての詳細は後述する）。
【００１７】
また、通話が終了して住情盤Ｊ２のハンドセットＨＳを元に戻すと、住情盤Ｊ２から制御線Ｌ１２を介して通話終了信号が通話制御装置ＴＣに送られ、通話制御装置ＴＣは住情盤Ｊ２と集合玄関機ＥＰ１並びに映像制御装置ＶＣに終了命令を送出する。これにより、集合玄関機ＥＰ１はテレビカメラ２１をオフすると共に、切替回路１４，２２を制御して第１通話線Ｌ２１と第１映像線Ｌ４１の接続スイッチを開放し、住情盤Ｊ２はモニタテレビをオフすると共に第１通話線Ｌ２２と第１映像線Ｌ４２の各接続スイッチを開放し、映像制御装置ＶＣは第１通話線Ｌ２１と第１映像線Ｌ４１の接続を解放する。この結果、第１通話線と第１映像線とは解放される。
【００１８】
図４は住情盤Ｊ２（又は管理人インターホンＳＭ１，２）の解錠スイッチの操作により集合玄関機ＥＰ１に解錠信号が送られときの動作を示すフローチャートである。集合玄関機ＥＰ１のマイクロコンピュータ１０は、通話中に送受信回路１１からの信号が入力されるとその信号が解錠信号であるかどうかを判断し（Ｓ１１）、解錠信号であると判断した場合には解錠出力回路３３に解錠信号を出力する（Ｓ１２）。解錠出力回路３３はその信号を電気錠制御回路４１に出力することにより錠４２が開き、錠４２が開くことにより玄関ドアが開く。解錠応答回路は３４は電気錠制御回路４１からの解錠応答信号を受信すると、マイクロコンピュータ１０に出力する。マイクロコンピュータ１０は、その解錠応答信号を所定時間内に受信すると（Ｓ１３）、ドライバ３０を介して７セグメント表示器３１に表示信号を出力し、例えば「ＯＰＥｎ」という表示をさせる（Ｓ１４）。なお、解錠応答信号は、解錠信号を受信したことにより発生させる場合と、解錠がなされたことにより発生させる場合の何れでもよい。
【００１９】
このようして、部屋番号が表示される７セグメント表示器３１に解錠状態の信号が表示されるので、専用の表示灯が不要となり、また、文字表示がなされることから、見易いという利点がある。また、マイクロコンピュータ１０が解錠出力回路３３を介して解錠信号を送り出しても、電気錠制御回路４０等が故障している場合には、所定時間が経過しても解錠応答回路３４に解錠応答信号が入力して来ないため錠４２は解くことがないので、何らかの異常状態になっていることが把握できる。
【００２０】
なお、７セグメント表示部３１の「ＯＰＥｎ」という解錠状態の表示は、例えば、マイクロコンピュータ１０が解錠信号を出力してから所定時間後に解錠信号をオフにすることにより、或いは住情盤Ｊ２のフックオフにより表示を消去する。
【００２１】
図５は集合玄関機ＥＰ１に解錠のための暗証番号を入力したときの動作を示すフローチャートである。まず、操作者（居住者）か予め設定された複数の操作釦を操作すると（例えばテンキー２６の「９＋７」を操作する）、マイクロコンピュータ１０はそれが解錠のためのコードであるかどうかを判断し（Ｓ２１）、それが解錠のためのコードである判断すると、次に入力される信号がディップスイッチ３２により設定したものと同一であるかどうか、且つ、それが上記のコードが入力してから所定の時間内であるかどうかを判断する（Ｓ２２）。前記の２個の要件を満たした場合には、上述の場合と同様にして、解錠応答信号を解錠出力回路３３に出力して錠４２を開き（Ｓ１２）、解錠応答回路３４は電気錠制御回路４１から解錠応答信号を受信すると、マイクロコンピュータ１０に出力し、マイクロコンピュータ１０はその応答信号を所定時間内に受信すると（Ｓ１３）、ドライバ３０を介して７セグメント表示部３１に表示信号を出力して「ＯＰＥｎ」という表示をさせる。
【００２２】
なお、電気錠を解錠するためには、上記の他に、キー（居住者が保有する部屋キー）をキー差込口３５ａに差し込んで解錠してもよい。この場合には、上記の場合と同様にして解錠応答信号があるから「ＯＰＥｎ」という表示がなされる。
【００２３】
また、上記の実施形態においては、解錠応答回路３４から解錠した旨の信号が入力してきた場合に解錠状態の表示をさせる例について説明したが、本発明はそのような場合に限定されるものではなく、例えば解錠信号を解錠出力回路３３に出力した時において解錠状態の表示をさせてもよい。この場合には図４及び図５の処理（Ｓ１３）は省略されることになる。また、キーをキー差込口３５ａに差し込んで解錠した場合には解錠信号が生成しないので、上記の表示はなされないことになる。
【００２４】
また、上記の実施形態においては部屋番号を表示するための表示器として７セグメント表示器３１を用いた例について説明したが、例えば液晶表示装置等を用いてもよい。
【００２５】
【発明の効果】
以上のように本発明によれば、操作釦の操作により訪問先の住戸の部屋番号が表示される表示部にオートドアロックの解錠状態を表示するようにしたので、解解錠状態の表示が見やすくなり、また、専用の表示灯を省略することが可能になっているる。
【図面の簡単な説明】
【図１】図１は本発明の一実施形態に係る集合住宅玄関機の内部構成を示すブロック図である。
【図２】図１の集合住宅玄関機の外観図である。
【図３】図１の集合住宅玄関機を含む集合住宅全体のシステム構成図である。
【図４】住情盤（又は管理人インターホン）の解錠スイッチの操作により集合玄関機に解錠信号が送られたときの動作を示すフローチャートである。
【図５】集合玄関機に解錠のための暗証番号を入力したときの動作を示すフローチャートである。
【符号の説明】
１０  マイクロコンピュータ
３０  ドライバ
３１  ７セグメント表示器
３２  暗証番号設定用ディップスイッチ
【図１】
0003622139.tif 000002
【図２】
0003622139.tif 000003
【図３】
0003622139.tif 000004
【図４】
0003622139.tif 000005
【図５】
0003622139.tif 000006